(57)【要約】      （修正有）【課題】潮干狩りの際、砂の中の貝を採取するスコップであって、特に、砂と貝の選別が容易にできると共に、多くの砂を掘り出すことにより貝の採取効率を向上させることができる潮干狩り用スコップを提供する。【解決手段】把手部３と把手部３の先方に装着された掬部４とを備えるスコップ本体２からなり、前記スコップ本体２の掬部４に、水分および砂を排出する開孔部１０を設けた。また前記開孔部１０の大きさを１０〜３０φの範囲内とし、掬部４に９〜１５個穿孔することが好ましい。【選択図】図１
0003140406.tif 000002
【実用新案登録請求の範囲】
【請求項１】
把手部と、把手部の先方に装着された掬部とを備えるスコップ本体からなる潮干狩り用スコップであって、前記スコップ本体の掬部に、水分および砂を排出する開孔部を設けたことを特徴とする潮干狩り用スコップ。
【請求項２】
前記開孔部の大きさを１０〜３０φの範囲内とした請求項１記載の潮干狩り用スコップ。
【請求項３】
前記開孔部は、掬部に９〜１５個穿孔されている請求項１または２記載の潮干狩り用スコップ。
【請求項４】
前記開孔部は、掬部の長手方向中心線に対し左右対称に配設されている請求項１乃至３のうちいずれか一項記載の潮干狩り用スコップ。
【考案の詳細な説明】
【技術分野】
【０００１】  本考案は、潮干狩りの際、砂の中の貝を採取するスコップであって、特に、操作が容易で貝の採取効率の高い潮干狩り用スコップに関する。
【背景技術】
【０００２】  潮干狩りは、遠浅の砂浜において砂の中の貝を掘り出し、容器に採取するものである。一般的な潮干狩りは、熊手のような器具を用いて砂を掻き出し、砂の中に潜んでいるアサリやハマグリ等を採取する。【０００３】  また前記熊手の他、汎用のスコップを用いて砂中の貝を採取する方法も成されていた。この場合、スコップで砂を掘り起こし、スコップ内の砂を指で排除して貝のみを採取していた。【０００４】  また従来、観賞魚用水槽内に敷かれた砂利等を清掃のために水槽外に取り出すに当たり、その砂利等を水切りしながら効率よく水槽外に掬い出すことができるようにして作業能率の向上を図る水槽用スコップがある（例えば特許文献１参照）。
上掲特許文献１の水槽用スコップは、略矩形の平板状に形成される底壁部と該底壁部の前、後及び左、右よりそれぞれ起立する前、後及び左、右壁部とを一体に有して全体が皿状の剛体より構成されるスコップ本体と、そのスコップ本体の後端部に連設されるハンドル部とを備え、水槽内に敷かれた砂利等の粒状体を掬い出すために使用される水槽用スコップであって、
前記底壁部には多数の水切り孔が穿設され、前記前壁部は、前記底壁部の前端縁より緩やかに立上がる横断面円弧状の湾曲部と、その湾曲部に滑らかに連続して前方上向きに傾斜する傾斜平板部とより構成され、その傾斜平板部の前端縁部は先細り状に形成されると共に左右方向に直線状に延びて、前記粒状体を掻き取るためのスクレーパ部と同粒状体の上面を均すための均し部とに兼用されることを特徴とする。
【特許文献１】登録実用第３０３１２７４号公報
【考案の開示】
【考案が解決しようとする課題】
【０００５】  しかしながら、潮干狩りの際に使用する熊手においては、掻き出す砂の量が少ないため、貝の採取効率がよくなかった。また、汎用のスコップで砂中の貝を採取する場合、その都度、指や水で貝と砂を選別しなければならず、多くの手間を必要とした。【０００６】  また、上掲特許文献１の水槽用スコップにおいては、水槽内の砂利等を水切りしながら効率よく水槽外に掬い出すことができるという特徴を有するが、水切り孔の目が細かすぎて、潮干狩りに使用するには不向きであった。【０００７】  そこで本考案は上記の点に鑑み、潮干狩りの際、砂の中の貝を採取するスコップであって、特に、砂と貝の選別が容易にできると共に、多くの砂を掘り出すことにより貝の採取効率を向上させることができる潮干狩り用スコップを提供することにある。
【解決を解決するための手段】
【０００８】  上記課題を解決するために本考案の潮干狩り用スコップは、把手部と、把手部の先方に装着された掬部とを備えるスコップ本体からなる潮干狩り用スコップであって、前記スコップ本体の掬部に、水分および砂を排出する開孔部を設けたことを特徴とする。また前記開孔部の大きさを１０〜３０φの範囲内とした。また前記開孔部は、掬部に９〜１５個穿孔されている。さらに前記開孔部は、掬部の長手方向中心線に対し左右対称に配設されていることが好ましい。
【考案の効果】
【０００９】  スコップ本体の掬部に、径が１０〜３０φの範囲内で、且つ９〜１５個の開孔部を設けたことで、潮干狩りの際、砂を掘り出してスコップ本体を水中で揺らすことで、容易に砂を排出させることができ、貝の採取を効率よく行うことができる。
【考案を実施するための最良の形態】
【００１０】  以下、本考案の潮干狩り用スコップにおける実施の形態を図面に基づいて説明する。
本考案の潮干狩り用スコップは、潮干狩りの際、砂と貝の選別が容易にできると共に、多くの砂を掘り出すことにより、貝の採取効率を向上させることができる。【００１１】  図１乃至図４に示す潮干狩り用スコップ１は、把手部３と、把手部３の先方に装着された掬部４とを備えるスコップ本体２からなり、特に、前記掬部４に、水分および砂を排出する開孔部１０を設けたことを特徴とする。【００１２】  スコップ本体２は、市販の園芸用スコップと略同じ大きさを呈しており、プラスチック、または防水加工や防錆特性を施した金属等の素材からなる。【００１３】  把手部３は円筒もしくは円筒に類似した形状を呈しており、プラスチックや金属の素材の他、外観面や握り具合を向上させる木製にて形成することができる。また、把手部３の周囲に滑り止めのラバー等を被覆してもよい。【００１４】  また把手部３の先方には掬部４が形成されている。掬部４は把手部３の先端（基部）に一体的に、もしくは個別に形成されている。また前記掬部４は、市販のスコップよりやや深く、両側部および把手部３近傍が湾曲状に形成されている。そのことにより、より多くの量の砂を掘り出すことができる。さらに砂を排出する際、スコップ本体２を水中で大きく揺らしても、採取した貝を落下させる心配が少ない。【００１５】  また前記掬部４には、水分および砂を排出する複数の開孔部１０が穿孔されている。開孔部１０は、アサリやハマグリ等の貝が落下せず、且つ水や砂、および砂利等が通り抜けられる大きさ、好ましくは１０〜３０φの範囲内とした。かかる大きさの開孔部１０を掬部４に複数設けることで、スコップ本体２を水中で揺らすことで、砂や水が排出され、貝のみを採取することができる。さらに、開孔部１０の大きさを前記範囲とすることで、誤って稚貝を採取する心配もない。【００１６】  また前記開孔部１０は、掬部４に複数個、好ましくは９〜１５個穿孔されている。例えば図５に示すように、穿孔する開孔部１０を９個としたり、図６に示すように、穿孔する開孔部１０を１５個としたりすることができる。穿孔する開孔部１０の数量を９〜１５個とすることで、水や砂の排出が最も効率的になり、さらに、製造の手間やコストの削減が実現できる。【００１７】  また他の好適例として、図２に示すように、前記開孔部１０を、掬部４の長手方向中心線に対し左右対称に配設することが好ましい。開孔部１０を左右対称に配設することで、左右、どちらの手で操作しても同様の効果が得られる。また、製造の際の作業性や効率も高まる。【００１８】  次に、本考案の潮干狩り用スコップの使用方法を図７の（ａ）（ｂ）（ｃ）（ｄ）面に基づいて説明する。【００１９】  （ａ）は、水中に潜んでいる貝Ａを砂ａと同時に採取する状態を示す。この際、掬部４の先端を水中の砂ａ内に差し込み、砂ａと同時に貝Ａを掬い上げる。
（ｂ）は、スコップ本体２を水中から引き上げた状態を示す。この際、水ｂが開孔部１０より排出される。なお、水分を排出せずに、直接水中で砂ａの排出作業を行ってもよい。
（ｃ）は、スコップ本体２を水中で揺らしながら掬い上げた砂ａを開孔部１０から排出する状態を示す。スコップ本体２を水中で前後、左右に揺らすことで、砂ａが開孔部１０から排出され、貝Ａのみを採取することができる。
（ｄ）は、スコップ本体２の掬部４に残った貝Ａを示す断面図である。採取した貝Ａは任意の容器へ入れる。この際、掬部４上の貝Ａを指で摘み容器内に入れてもよいが、スコップ本体２を容器まで移動させ、直接に掬部４から貝Ａを入れてもよい。
【図面の簡単な説明】
【００２０】
【図１】本考案の潮干狩り用スコップの全体斜視図である。
【図２】前記潮干狩り用スコップの平面図である。
【図３】前記潮干狩り用スコップの側面図である。
【図４】前記潮干狩り用スコップの断面図である。
【図５】他の好適例を示す潮干狩り用スコップの平面図である。
【図６】他の好適例を示す潮干狩り用スコップの平面図である。
【図７】（ａ）（ｂ）（ｃ）（ｄ）は、本考案の潮干狩り用スコップの使用状態を示す。
【符号の説明】
【００２１】１    潮干狩り用スコップ
２    スコップ本体
３    把手
４    掬部
１０  開孔部
Ａ    貝
ａ    砂
ｂ    水分
【図１】
0003140406.tif 000003
【図２】
0003140406.tif 000004
【図３】
0003140406.tif 000005
【図４】
0003140406.tif 000006
【図５】
0003140406.tif 000007
【図６】
0003140406.tif 000008
【図７】
0003140406.tif 000009